(57)【要約】【課題】容器を簡易で手早く包装でき、素材使用量が少なくて済み、量産時にはコスト的に有利となる手提げ型容器保持袋体を提供する。【解決手段】容器５を収容する際、袋本体２の除去可能線部に沿って下体部を切り離し、容器５の下底部５ａを袋本体２の上端開口部２ｃを介して下端開口部２Ｃに嵌め込むだけで済み、容器５を簡易で手早く包装できて利便性に優れる。容器５が地面に略垂直となり、傾くことなく安定した状態で持ち運ばれて、おでんＴが容器５から外部にこぼれ落ちることがない。手提げ型容器保持袋体１は袋本体２と単一の手提帯部３からなるので、保管スペースが少なくて省スペースとなり、素材使用量も少なくて済み、量産時にはコスト的に有利となる。【選択図】図４
2008143599.tif 000002
【特許請求の範囲】
【請求項１】
二枚のシートを重ね合わせて上端開口部を除く外周縁部を溶着して成り、内容物を詰めた容器が収容される袋本体と、
前記二枚のシートのうち一方の上端部中央から他方の上端部中央に一体的にかけ渡されて二つ折りにされた手提帯部と、
前記二枚のシートに一方の外側縁部から他方の外側縁部にかけて設けられ、前記袋本体を上体部と下体部とに区分けし、切除により前記下体部を切り離して前記袋本体に下端開口部を形成する除去可能線部とを備え、
前記袋本体の前記シートは、前記手提帯部に向かって漸次幅広となる逆台形状をなし、前記シートの前記上端開口部と前記手提帯部の基端部とが略直角に交わる交差部は隅角部を構成し、前記隅角部に前記基端部へ向かって凸となる補強用の円弧部を設けたことを特徴とする手提げ型容器保持袋体。
【請求項２】
前記袋本体と前記手提帯部とは、多数枚に綴られて前記下体部同士は一体的に固定されており、使用時に前記手提帯部を引張ることにより前記除去可能線部が切除されることを特徴とする請求項１に記載の手提げ型容器保持袋体。
【請求項３】
前記袋本体の前記下体部同士は、前記下体部に設けた孔部を支持棒に挿通することにより固定されていることを特徴とする請求項２に記載の手提げ型容器保持袋体。
【請求項４】
前記袋本体の前記下体部同士は、前記下体部を接着剤により互いに貼着させることにより固定されていることを特徴とする請求項１に記載の手提げ型容器保持袋体。
【請求項５】
前記袋本体の前記上体部および前記手提帯部には、広告宣伝用の空領域が設けられていることを特徴とする請求項１または請求項２のいずれかに記載の手提げ型容器保持袋体。
【請求項６】
前記手提帯部の先端同士は、溶着部により一体的に連結されることで前記袋本体を複数有し、前記二つ折りにされた手提帯部のうち使用時に外側となる帯部を冗長にして内側となる帯部よりも長尺に設定したことを特徴とする請求項１に記載の手提げ型容器保持袋体。
【請求項７】
前記外側となる帯部と前記内側となる帯部および容器の上端直径部とは、前記外側となる帯部を斜辺として略直角三角形を形成することを特徴とする請求項６に記載の手提げ型容器保持袋体。
【請求項８】
前記手提帯部の二つ折り部の上端部は、帯長方向に上部補強リブを有するとともに、前記手提帯部の基端部から前記袋本体にかけて前記隅角部に外接する下部補強リブが形成されていることを特徴とする請求項１に記載の手提げ型容器保持袋体。
【請求項９】
前記除去可能線部を前記手提帯部とは反対側に凸となる円錐曲線の一部に沿って形成したことを特徴とする請求項１に記載の手提げ型容器保持袋体。
【発明の詳細な説明】
【技術分野】
【０００１】
本発明は、おでん、ジュースやコーヒーなどを内容物として入れた容器を店頭などから持ち運ぶ際に用いる手提げ型容器保持袋体に関する。
【背景技術】
【０００２】
店頭などで各種のジュースやフライドポテトなどを購入し、容器に入れて持ち運ぶ際、持ち帰り販売形態として組立式の紙製トレーや帯状のカップホルダーが用いられていた（例えば、特許文献１参照）。
このカップホルダーでは、組立て時に費やす手間やカップホルダーの保管スペースが必要であり、多数の顧客の持ち帰りに簡易で手早く包装できるものではなかった。
【０００３】
簡易で手早い包装を行うものとしては、花卉類を持ち運ぶ切り花用包装袋がある（例えば、特許文献２参照）。この切り花用包装袋は、表シートと裏シートとを合わせて作製したもので、包装袋が上下に二分割されるミシン目を形成している。花卉類を包装袋に入れて購買した後、市場で検査したり、家庭などで花を活ける際、包装袋をミシン目に沿って切り離すと、花卉類の茎が下方に露出される。この際、花卉類の茎を押し上げることにより、切り花を包装袋の上端開口部から突き出させて、切り花を包装袋から外部に取出し易くしている。
【０００４】
切り花用包装袋では、持ち運び時に包装袋を内容物たる花卉類と一緒に把持するため、花卉類が押圧されて傷みが生じる虞がある。
内容物を直接把持せず、吊り下げて持ち運ぶものとして植木鉢の携行用袋がある（例えば、特許文献３参照）。この携行用袋は、筒状のチューブから円錐状の保持部と左右提紐とを形成する型で平面的に切り取って、保持部の両側部同士をシールするものである。
植木鉢の持運び時には、植木鉢の下底部を袋の下端開口部に嵌め込み、植木鉢を傾かせることなく垂直に保持し、植木の花や枝が損傷を受けないようにしている。
【０００５】
【特許文献１】実用新案登録第３１２３７２７号公報
【特許文献２】特開平１０−２１８２００号公報
【特許文献３】実開昭５８−２１３２５号公報
【発明の開示】
【発明が解決しようとする課題】
【０００６】
特許文献２の切り花用包装袋は、特許文献１のカップホルダーの有する不具合の緩和に寄与し、花卉類の簡易で手早い包装の実現化を図っている。特許文献３の植木鉢の携行用袋は、保持部に左右提紐を設けているため、保持部を把持する必要がなくなり、特許文献２の有する欠点を補う関係にある。
ところが、特許文献３の植木鉢の携行用袋では、左右提紐というように左右の両側に手提紐部を設ける構造になっているため、袋の素材使用量が増し、とりわけ量産時にはコスト的に不利になると考えられる。
【０００７】
本発明は上記事情に鑑みてなされたもので、その目的は、保管スペースが少なくて済み、容器を簡易で手早く包装できて利便性に優れながらも、素材使用量が少なくて済み、とりわけ量産時にはコスト的に有利となる手提げ型容器保持袋体を提供することにある。
【課題を解決するための手段】
【０００８】
（請求項１について）
袋本体は、二枚のシートを重ね合わせて上端開口部を除く外周縁部を溶着して成り、内容物を詰めた容器が収容される。手提帯部は、二枚のシートのうち一方の上端部中央から他方の上端部中央に一体的にかけ渡されて二つ折りにされている。除去可能線部は、二枚のシートに一方の外側縁部から他方の外側縁部にかけて設けられ、袋本体を上体部と下体部とに区分けし、切除により下体部を切り離して袋本体に下端開口部を形成する。
袋本体のシートは、手提帯部に向かって漸次幅広となる逆台形状をなし、シートの上端開口部と手提帯部の基端部とが略直角に交わる交差部は隅角部を構成し、隅角部に基端部へ向かって凸となる補強用の円弧部を設けている。
【０００９】
容器を収容する際、除去可能線部に沿って下体部を切り離し、容器の下底部を袋本体の上端開口部を介して下端開口部に嵌め込むだけで済み、容器を簡易で手早く包装できて利便性に優れる。この際、容器の下底部が下端開口部に嵌め込まれるため、容器が地面に略垂直となり、傾くことなく安定した状態で持ち運ばれて、内容物が容器から外部にこぼれ落ちることがない。
しかも、手提げ型容器保持袋体は袋本体と単一の手提帯部からなるので、保管スペースが少なくて省スペースとなり、素材使用量も少なくて済み、とりわけ量産時にはコスト的に有利となる。
また、手提帯部の隅角部に補強用の円弧部を設けているので、手提帯部を摘んで袋本体を吊り下げて持ち運ぶ時、隅角部に加わる引張力が円弧部で受けられるようになる。このため、内容物で重量が嵩む容器を収容しても、応力集中により隅角部に亀裂が生じることがなく、耐久性の向上に寄与することができる。
【００１０】
（請求項２について）
袋本体と手提帯部とは、多数枚に綴られて下体部同士は一体的に固定されており、使用時に手提帯部を引張ることにより除去可能線部が切除される。
このため、多数枚の手提げ型容器保持袋体をばらばらに散在させず、一箇所にまとめて保管できる。しかも、必要時には袋本体と手提帯部とを素早く取出すことが可能となり、使い勝手もよくて大勢の顧客の購買に滞ることなく迅速に対処することができる。
【００１１】
（請求項３について）
袋本体の下体部同士は、下体部に設けた孔部を支持棒に挿通することにより固定されている。このため、入手し易い簡素な構造で袋本体の下体部をまとめて固定できてコスト的に有利となる。
【００１２】
（請求項４について）
袋本体の下体部同士は、下体部を接着剤により互いに貼着させることにより固定されている。このため、請求項３と同様に、入手し易い簡素な構造で袋本体の下体部をまとめて固定できてコスト的に有利となる。
【００１３】
（請求項５について）
袋本体の上体部および手提帯部には、広告宣伝用の空領域が設けられている。このため、各社の名称をはじめ、扱う商品やサービスを広く消費者の間に知らしめる広告宣伝媒体としても機能し、ひいては手提げ型容器保持袋体の需要の増大に繋がる。
【００１４】
（請求項６について）
手提帯部の先端同士は、溶着部により一体的に連結されることにより袋本体を複数有する。二つ折りにされた手提帯部のうち使用時に外側となる帯部を冗長にして内側となる帯部よりも長尺に設定している。
この場合、袋本体を複数有するので、複数の容器を同時に持ち運びすることができて、顧客の購買量の大小に都合よく応じることができる。
【００１５】
（請求項７について）
外側となる帯部と内側となる帯部および容器の上端直径部とは、外側となる帯部を斜辺として略直角三角形を形成する。
このため、内容物の詰まった複数の容器が袋本体内で地面に対して略垂直状態となり、複数の容器を傾かせることなく安定した状態で持ち運ぶことができる。
【００１６】
（請求項８について）
手提帯部の二つ折り部の上端部は、帯長方向に上部補強リブを有するとともに、手提帯部の基端部から袋本体にかけて隅角部に外接する下部補強リブが形成されている。
この場合、手提帯部の上端部は、上部補強リブにより引張り方向に対して補強されるため、内容物で重量が嵩む容器に対してもへたることなく耐えることができる。手提帯部の基端部および袋本体は、下部補強リブが筋交いとして機能するため、内容物で重量が嵩む容器に対してもへたることなく耐えることができる。
【００１７】
（請求項９について）
除去可能線部を手提帯部とは反対側に凸となる円錐曲線の一部に沿って形成している。この場合、袋本体のうち除去可能線部で囲まれた部分だけ容器との接触面積が増えるため、容器に対する袋本体の保持力が強化され、容器を袋本体に安定させた状態で収容することができる。
【発明を実施するための最良の形態】
【００１８】
本発明の手提げ型容器保持袋体では、保管スペースが少なくて済み、容器を簡易で手早く包装できて利便性に優れながらも、素材使用量が少なくて済み、とりわけ量産時にはコスト的に有利となる。
【実施例１】
【００１９】
図１ないし図４は本発明の実施例１を示す。本発明における手提げ型容器保持袋体１は、図１に示すように袋本体２と単一の手提帯部３から成っている。これら袋本体２および手提帯部３は、一体物として伸縮性および破断強度に優れたポリエチレン（低密度および高密度ポリエチレンを含む）、ポリプロピレン、ポリエステル、ポリウレタン、エチルビニール、酢酸エステル、ポリ塩化ビニールなどの合成樹脂製薄膜体から形成されている。  
【００２０】
袋本体２は、二枚のシート２ａ、２ｂを重ね合わせ、上端開口部２ｃを除いてシート２ａの外周縁部２ｄとシート２ｂの外周縁部２ｅとをレーザー光線や超音波接合などにより溶着して成っている。手提帯部３は、二枚のシート２ａ、２ｂのうち一方の上端部中央２ｆから他方の上端部中央２ｇに一体的にかけ渡されて二つ折りにされている。
【００２１】
ミシン目などの除去可能線部４は、図２の（ａ）、（ｂ）に示すように、二枚のシート２ａ、２ｂに一方の外側縁部２ｍから他方の外側縁部２ｎにかけて設けられ、袋本体２を上体部２Ａと下体部２Ｂとに区分けし、切除により下体部２Ｂを切り離して袋本体２に下端開口部２Ｃを形成する。
【００２２】
袋本体２のシート２ａ、２ｂは、手提帯部３に向かって漸次幅広となる逆台形状をなし、シート２ａ、２ｂの上端開口部２ｃと手提帯部３の基端部３ａとが略直角に交わる交差部は、左右両側に隅角部３Ａを構成する。隅角部３Ａには、基端部３ａに向かって凸となる補強用の円弧部Ｒを設けている。
袋本体２の上体部２Ａおよび手提帯部３には、広告宣伝用の空領域Ｓが設けられている。空領域Ｓは、各社の名称をはじめ、扱う商品やサービスを広く消費者の間に知らしめる広告宣伝媒体としても機能する。空領域Ｓについては、図２のみに記載し、以後の図示は省略している。
【００２３】
店頭などにおいて、例えば、おでんＴを内容物として入れた逆円錐台状の容器５｛図３の（ａ）参照｝を袋本体２に収容する際、除去可能線部４で下体部２Ｂを切除した袋本体２を広げる｛図３の（ｂ）参照｝。この袋本体２におでんＴ入り容器５を収容すると、容器５の下底部５ａが上端開口部２ｃを介して下端開口部２Ｃに突き出て嵌まり、外周面部５ｂが袋本体２の内周面に密着する。これにより、図４に示すように、容器５が袋本体２内に保持され、手提帯部３を摘むことにより容器５の持ち運びが可能となる。
【００２４】
上記構成では、容器５を収容する際、除去可能線部４に沿って下体部２Ｂを切り離し、容器５の下底部５ａを袋本体２の上端開口部２ｃを介して下端開口部２Ｃに嵌め込むだけで済み、容器５を簡易で手早く包装できて利便性に優れる。この際、容器５の下底部５ａが袋本体２の下端開口部２Ｃに嵌め込まれるため、容器５が地面に略垂直となり、傾くことなく安定した状態で持ち運ばれて、おでんＴなどの内容物が容器５から外部にこぼれ落ちることがない。
しかも、手提げ型容器保持袋体１は袋本体２と単一の手提帯部３からなるので、保管スペースが少なくて省スペースとなり、素材使用量も少なくて済み、とりわけ量産時にはコスト的に有利となる。
また、手提帯部３の隅角部３Ａに補強用の円弧部Ｒを設けているので、手提帯部３を摘んで袋本体２を吊り下げて持ち運ぶ時、隅角部３Ａに加わる引張力が円弧部Ｒで受けられるようになる。このため、内容物で重量が嵩む容器５を袋本体２に収容しても、応力集中により隅角部３Ａに亀裂が生じることがなく、耐久性の向上に寄与することができる。
【実施例２】
【００２５】
図５の（ａ）は本発明の実施例２を示す。実施例２が実施例１と異なるところは、除去可能線部４の一部を繋留部４ｋとして切除できないようにしておき、除去可能線部４の切除時、上体部２Ａを繋留部４ｋを介して下体部２Ｂに皮一枚で連結させたことである。
このようにすれば、上体部２Ａと下体部２Ｂとをばらばらにせず、まとめて塵芥物として廃棄処分することができて処分し易くなる。
【実施例３】
【００２６】
図５の（ｂ）は本発明の実施例３を示す。実施例３が実施例１と異なるところは、除去可能線部４ａ、４ｂ、４ｃ、４ｄを上下複数段に設けたことである。
このため、除去可能線部４ａ〜４ｄのうち、袋本体２内に収容すべき容器５の外径寸法に見合ったものを選択的に切除することで、外径寸法の異なる複数の容器５に対処することができる。
【実施例４】
【００２７】
図５の（ｃ）は本発明の実施例４を示す。実施例４が実施例１と異なるところは、除去可能線部４ｅを手提帯部３とは反対側、すなわち下方に凸となる円弧に沿って形成したことである。
この場合、袋本体２のうち除去可能線部４ｅの円弧で囲まれた部分だけ容器５との接触面積が増えるため、容器５に対する袋本体２の保持力が強化され、容器５を袋本体２に安定させた状態で収容することができる。
なお、除去可能線部４ｅは円弧に限らず、楕円、放物線や双曲線などの円錐曲線の一部に沿って形成してもよい。
【実施例５】
【００２８】
図６は本発明の実施例５を示す。実施例５が実施例１と異なるところは、手提帯部３の二つ折り部の上端部３ｂが帯長方向に上部補強リブ６を有するとともに、手提帯部３の基端部３ａから袋本体２にかけて隅角部３Ａに外接する下部補強リブ７ａ、７ｂを形成したことである｛図６の（ａ）、（ｂ）参照｝。
上部補強リブ６および下部補強リブ７ａ、７ｂは、横断面積が例えば０．５〜０．８ｍｍ程度の直径寸法を有する細径の突条部を構成している。下部補強リブ７ａは、シート２ａ（２ｂ）の一方の外側縁部２ｍから左の隅角部３Ａに外接し、下部補強リブ７ｂは、シート２ａ（２ｂ）の他方の外側縁部２ｎから右の隅角部３Ａに外接するため、二条の下部補強リブ７ａ、７ｂは手提帯部３の基端部３ａでたすき状に交差している。
【００２９】
この場合、手提帯部３の上端部３ｂは、上部補強リブ６により引張り方向に対して補強されるため、内容物で重量が嵩む容器５に対してもへたることなく耐えることができる。手提帯部３の基端部３ａおよび袋本体２は、下部補強リブ７ａ、７ｂが筋交いとして機能するため、内容物で重量が嵩む容器５に対してもへたることなく耐えることができる。
【実施例６】
【００３０】
図７は本発明の実施例６を示す。実施例６が実施例１と異なるところは、袋本体２と手提帯部３とは、多数枚に綴られて下体部２Ｂ同士は一体的に固定されていることである。使用時には、手提帯部３を引張ることにより、除去可能線部４が切除されて上体部２Ａが下体部２Ｂから切り離される｛図７の（ａ）、（ｂ）参照｝。
具体的には、袋本体２の下体部２Ｂ同士は、下体部２Ｂに設けた孔部８を支持棒９に挿通することにより固定されている。図７の（ａ）は、基台Ｅに手提げ型容器保持袋体１を設置した例を示し、図７の（ｂ）では、吊り板Ｆの支持棒９に手提げ型容器保持袋体１を引っ掛ける例を示す。
【００３１】
実施例６では、多数枚の手提げ型容器保持袋体１をばらばらに散在させず、一箇所にまとめて保管できる。しかも、必要時には袋本体２と手提帯部３とを素早く取出すことが可能となり、使い勝手もよくて大勢の顧客の購買に滞ることなく迅速に対処することができる。
しかも、袋本体２の下体部２Ｂ同士は、下体部２Ｂの孔部８を支持棒９に挿通することにより固定されているため、入手し易い簡素な構造で袋本体２の下体部２Ｂをまとめて固定できてコスト的に有利となる。
なお、袋本体２の下体部２Ｂ同士は、下体部２Ｂを接着剤により互いに貼着させることにより固定してもよい。
【実施例７】
【００３２】
図８および図９は本発明の実施例７を示す。実施例７が実施例１と異なるところは、互いに別体の手提帯部３の先端３ｃ同士を溶着部Ｗにより１８０°の角度間隔で一体的に連結することにより二個の手提げ型容器保持袋体１を設けたことである｛図８の（ａ）参照｝。二つ折りにされた手提帯部３のうち使用時に外側となる帯部３Ｂの一部を折り畳むことにより冗長化し、内側となる帯部３Ｃよりも長尺に設定している｛図８の（ｂ）参照｝。
【００３３】
先端３ｃの溶着部Ｗを中心にして左右の手提帯部３を図８の（ｂ）に矢印Ｍ、Ｎで示す方向に折り曲げることにより、図９に示すように、外側となる帯部３Ｂが折り畳まれた冗長分だけ伸長する。このため、外側となる帯部３Ｂと内側となる帯部３Ｃおよび容器５の上端直径部１０とは、外側となる帯部３Ｂを斜辺として略直角三角形を形成する。
【００３４】
実施例７では、二個の手提げ型容器保持袋体１を設けているので、二個の容器５を同時に持ち運びすることができて、顧客の購買量の大小に都合よく応じることができる。
しかも、帯部３Ｂ、帯部３Ｃおよび容器５の上端直径部１０は、帯部３Ｂを斜辺として略直角三角形を形成する。このため、内容物の詰まった容器５が袋本体２内で地面に対して略垂直状態となり、二個の容器５を傾かせることなく安定した状態で持ち運ぶことができる。
【実施例８】
【００３５】
図１０は本発明の実施例８を示す。実施例８が実施例７と異なるところは、互いに別体である三個の手提帯部３の先端３ｃ同士を溶着部Ｗにより１２０°の角度間隔で一体的に連結することにより三個の手提げ型容器保持袋体１を設けたことである。
実施例８では、実施例７に比べて一つ多い三個の手提げ型容器保持袋体１を設けているので、三個の容器５を同時に持ち運びすることができて、顧客の購買量の大小に都合よく応じることができる。
【実施例９】
【００３６】
図１１は本発明の実施例９を示す。実施例９が実施例８と異なるところは、互いに別体である四個の手提帯部３の先端３ｃ同士を溶着部Ｗにより９０°の角度間隔で一体的に連結することにより四個の手提げ型容器保持袋体１を設けたことである。
実施例９では、実施例８に比べて一つ多い四個の手提げ型容器保持袋体１を設けているので、四個の容器５を同時に持ち運びすることができて、顧客の購買量の大小に一層都合よく応じることができる。
【００３７】
（ａ）上記実施例１〜９では、逆円錐台状の袋本体２の一方の外側縁部２ｍおよび他方の外側縁部２ｎのテーパの傾きは収容する容器５に応じて所望に設定してもよい。
（ｂ）内容物はおでんＴに限らず、各種の清涼飲料水、アルコール飲料、フライドポテトやポタージュなどであってもよく、要は容器５内に収容できるものであればよい。
（ｃ）実施例９では、手提帯部３の先端３ｃ同士を連結することにより、四個の手提げ型容器保持袋体１を設けたが、五個、六個といった四個よりも多い手提げ型容器保持袋体１を設けるようにしてもよい。この際、複数の容器５のうちには、おでんＴが入った容器５があってもよく、ジュース類が入った容器５があってもよく、全ての容器５が同一の内容物である必要はない。
【産業上の利用可能性】
【００３８】
本発明の手提げ型容器保持袋体では、保管スペースが少なくて済み、容器を簡易で手早く包装できて利便性に優れながらも、素材使用量が少なくて済み、とりわけ量産時にはコスト的に有利となる。量産性に優れて使い勝手のよさから需要を喚起して関連部品の流通を介して製造業界に適用することができる。
【図面の簡単な説明】
【００３９】
【図１】手提げ型容器保持袋体を作製する際、シート同士を溶着する態様を示す斜視図である（実施例１）。
【図２】（ａ）は手提げ型容器保持袋体の正面図、（ｂ）は除去可能線部で下体部を袋本体から切り離す態様を示す正面図である。（実施例１）。
【図３】（ａ）はおでんを詰めた容器の斜視図、（ｂ）は手提げ型容器保持袋体の斜視図である（実施例１）。
【図４】容器を収容して持ち運ぶ手提げ型容器保持袋体を示す斜視図である（実施例１）。
【図５】（ａ）は容器を収容して持ち運ぶ手提げ型容器保持袋体を示す斜視図（実施例２）、（ｂ）は複数の除去可能線部を形成した手提げ型容器保持袋体を示す正面図（実施例３）、（ｃ）は円弧状の除去可能線部を形成した手提げ型容器保持袋体を示す正面図である（実施例４）。
【図６】（ａ）は上部補強リブおよび下部補強リブを形成したシート同士を溶着する態様を示す斜視図、（ｂ）は（ａ）のＡ−Ａ線に沿う拡大横断面図である（実施例５）。
【図７】（ａ）、（ｂ）は多数の手提げ型容器保持袋体を綴った例を示す斜視図である（実施例６）。
【図８】（ａ）は二個の手提げ型容器保持袋体を連結した態様を示す正面図、（ｂ）は（ａ）のＢ−Ｂ線に沿う縦断面図である（実施例７）。
【図９】容器を収容して持ち運ぶ手提げ型容器保持袋体を示す正面図である（実施例７）。
【図１０】三個の手提げ型容器保持袋体を連結した態様を示す正面図である（実施例８）。
【図１１】四個の手提げ型容器保持袋体を連結した態様を示す正面図である（実施例９）。
【符号の説明】
【００４０】
１      手提げ型容器保持袋体
２      袋本体
２Ａ    上体部
２Ｂ    下体部
２ａ    シート
２ｂ    シート
２ｃ    袋本体の上端開口部
２ｄ、２ｅ    シートの外周縁部
２ｆ、２ｇ    シートの上端部中央
２ｍ    一方の外側縁部
２ｎ    他方の外側縁部
３      手提帯部
３Ａ    隅角部
３Ｂ    外側となる帯部
３Ｃ    内側となる帯部
３ａ    基端部
３ｂ    二つ折り部の上端部
３ｃ    手提帯部の先端
４、４ａ〜４ｄ    除去可能線部
５      容器
６      上部補強リブ
７ａ、７ｂ    下部補強リブ
８      下体部の孔部
９      支持棒
１０    容器の上端直径部
Ｒ      円弧部
Ｓ      広告宣伝用の空領域
Ｔ      おでん
Ｗ      溶着部
【図１】
2008143599.tif 000003
【図２】
2008143599.tif 000004
【図３】
2008143599.tif 000005
【図４】
2008143599.tif 000006
【図５】
2008143599.tif 000007
【図６】
2008143599.tif 000008
【図７】
2008143599.tif 000009
【図８】
2008143599.tif 000010
【図９】
2008143599.tif 000011
【図１０】
2008143599.tif 000012
【図１１】
2008143599.tif 000013